(57)【要約】【課題】演算装置側にユーザー情報を記録せずに、ユーザーを確定し外部媒体によるブートによりログインの自動化とクッキー情報の利用を可能にする。【解決手段】オペレーションシステムと通信回線接続用プログラムと演算装置のユニークである識別番号を読み取るプログラムと認証確立プログラムを備えた外部媒体１を演算装置２のブートにより、アクセス先管理サーバー３においてユーザーがＩＤとパスフレーズを一度入力することで、その外部媒体１の認証データと演算装置固有の識別番号とユーザーＩＤを一意に識別することで、ログインを認証するステップを有し、ＷＥＢサーバーが送信するクッキー情報を演算装置２のメモリー１１に保存し、演算装置２の電源スイッチ９を切る行為で、メモリーのクッキー情報を管理サーバー３へ記録するするステップを有す。【選択図】  図１
2009139976.tif 000002
【特許請求の範囲】
【請求項１】
演算装置のオペレーションシステムと通信回線接続用のプログラムと、ログイン用認証プログラムと、演算装置のユニークである識別番号を読み取るプログラムと、ホームページを表示するブラウザとＷＥＢサーバーから送信されたクッキー情報を演算装置の揮発性メインメモリーからなるメモリーに保存するプログラムと、演算装置のログインをきっかけに管理サーバーのクッキー情報を演算装置のメモリーへ保存し、電源終了ボタンを押すことをきっかけにメモリーに保存されたクッキー情報を管理サーバーへ記録するプログラムが格納された読み出し専用の外部媒体と、
通信回線接続用インターフェースを備え,上述読み出し専用の外部媒体を読み込むデバイスを備え、そのブートを優先に設定された、通信回線に接続した演算装置端末と、
ネットワークに接続され、読み出し専用の外部媒体の認証データとユーザーＩＤとパスフレーズと演算装置のユニークである識別番号とそれらの認証確立プログラムが格納された管理サーバーにより、
その読み出し専用の外部媒体を、演算装置端末にセットした後、電源を入れる、あるいはリブートすることで、その読み出し専用の外部媒体のオペレーションシステムにより起動させるステップと、演算装置のユニークである識別番号を読み取るステップと、その通信回線接続機能プログラムによりネットワークに接続するステップと、その読み出し専用の外部媒体に設定された管理サーバーへアクセスするステップを有し、
そのアクセス先管理サーバーは、演算装置から送信されたクッキー情報を記録するステップと、それを演算装置へ送信するステップを有し、読み出し専用の外部媒体に組み込まれた認証データと管理サーバーのデータベースに記録されたその読み出し専用の外部媒体の認証データと照合する認証確立ステップを有し、
その認証確立ステップにおいて、その読み出し専用の外部媒体によるログインが認証されない場合は、ログアウトするステップを有し、それが認証されると外部媒体は読み取った演算装置のユニークである識別番号を管理サーバーへ送信するステップを有し、管理サーバーは演算装置のユニークである識別番号をデータベースで照合するステップを有し、
その演算装置のユニークである識別番号とログイン時の読み出し専用の外部媒体の認証データが一致し、かつユーザーＩＤが自動ログインを認証しているかを判定するステップを有し、
認証されていればログインを許可するステップを有し、認証されていない場合は、管理サーバーはＩＤとパスフレーズの送信をユーザーに要求するステップを有し、それによりユーザーがＩＤとパスフレーズを管理サーバーに送信することで、
管理サーバーは予めデータベースに記録されたユーザーＩＤとパスフレーズを送信された認証データと照合する認証確立ステップを有し、それによりユーザーが認証されない場合はログアウトし、ユーザーが認証されると、
上述読み取られた演算装置のユニークである識別番号との認証データをそのユーザーＩＤと関連づけてデータベースに記録し、それによりそれらが一意に識別される認証確立ステップを有し、
ＷＥＢサーバーのブラウザから送信されたクッキー情報を演算装置のメモリーに保存するステップを有し、起動した演算装置の電源スイッチを押し、電源の切断行為をきっかけに、上述メモリーに保存されたクッキー情報を管理サーバーへ記録するステップを有し、
上述の構成により演算装置側にユーザー情報やクッキー情報記録することなしに、管理サーバー側へそれを記録することで、ユーザーを識別することができることを特徴とするブート媒体・管理サーバー連携による自動ログイン認証システム。
【請求項２】
読み出し専用の外部媒体に動画を視聴及び送信できるプラグインと演算装置に音声デバイス及びその入出力装置を備えたことを特徴とする請求項１のブート媒体・管理サーバー連携による自動ログイン認証システム。
【発明の詳細な説明】
【技術分野】
【０００１】
本発明は、演算装置側にユーザー認証入力情報を記録する記録デバイスを必要とせずに、管理サーバーやＷＥＢサーバーに認証を自動化できる、ＣＤ−ＲＯＭ等の書き込みできない外部媒体を使ったブートによる管理サーバー連携による自動ログイン認証システムに関するものである。
【背景技術】
【０００２】
演算装置のＣＤ−ＲＯＭ等の外部媒体によるブータブルによるインターネット利用は、演算装置のハードディスク等の記録デバイスを使わないため、インターネットウイルスによる感染を防げる。
またハードディスク等の記録デバイスを使用しないため、演算装置をその分簡素化・軽量化でき、ローカル側で記録しないため、ローカル側でのデータの破損を防ぐことができるメリットがある。これらの先行技術としては、例えば、仮想ＣＤを用いた演算装置システムとして、特許文献１がある。
【特許文献１】特開２００６−２０９３６７号公報
【発明の開示】
【発明が解決しようとする課題】
【０００３】
しかしながら、インターネットにおいて、ログインなどユーザー認証を自動化したい場合、その入力情報は通常演算装置のハードディスク等の記録デバイスに書き込まれ、それを利用して自動ログインをすることができるが、ＣＤ−ＲＯＭ等の外部媒体のブータブルによる、ローカル側で記録するデバイスを使わない場合、ログイン時において認証を確認する方法が無く、認証ができないため、ユーザーを特定した使い方ができない。
また、同様にクッキー情報を演算装置のハードディスクに記録することができないため、ログインの度に認証の入力を行わなければならず、不便である。
【０００４】
また、例えばＵＳＢメモリー等の繰り返して書き込み可能な外部媒体を使った場合では、自動認証のための情報の記録はその書き込み可能な媒体へ書き込むことで可能だが、書き込み可能なためその外部媒体へのインターネットウイルスによる感染の可能性が生じ、またローカル側でデータを勝手に改変される恐れもあり、その意味においては、演算装置のハードディスク等の記録デバイスを使う場合と環境は大きく変わらないため上述のメリットを生かせない。
【０００５】
仮想ＣＤを用いた演算装置システムとして、特許文献１があるが、この場合ブート時にユーザーを特定する手段を持たないため、ユーザーを特定した自動ログインを行いユーザーを特定した利用を行いたいと思ってもできない。また同様にクッキーの情報を記録する仕組みが無いため、ホームページでの入力フォーム等での自動化やクッキー情報を取り込んで利便性を生かすことはできない。
【課題を解決するための手段】
【０００６】
前述の解決のために、
演算装置のオペレーションシステムと通信回線接続用のプログラムとログイン用認証プログラムと演算装置のユニークである識別番号を読み取るプログラムとホームページを表示するブラウザとＷＥＢサーバーから送信されたクッキー情報を演算装置の揮発性メインメモリーからなるメモリーに保存するプログラムと、
【０００７】
演算装置のログインをきっかけに管理サーバーのクッキー情報を演算装置のメモリーへ保存し、電源終了ボタンを押すことをきっかけにメモリーに保存されたクッキー情報を管理サーバーへ記録するプログラムが格納された、読み出し専用の外部媒体と、通信回線接続用インターフェースを備え,上述外部媒体を読み込むデバイスを備え、そのブートを優先に設定された、通信回線に接続した演算装置端末と、
【０００８】
ネットワークに接続され、外部媒体の認証データとユーザーＩＤとパスフレーズと演算装置のユニークである識別番号とそれらの認証確立プログラムが格納された管理サーバーにより、その外部媒体を、演算装置端末にセットした後、電源を入れる、あるいはリブートすることで、その外部媒体のオペレーションシステムにより起動させるステップと、演算装置のユニークである識別番号を読み取るステップと、その通信回線接続機能プログラムによりネットワークに接続するステップと、その外部媒体に設定された管理サーバーへアクセスするステップを有し、そのアクセス先管理サーバーは、演算装置から送信されたクッキー情報を記録するステップと、それを演算装置へ送信するステップを有し、
【０００９】
外部媒体に組み込まれた認証データと管理サーバーのデータベースに記録されたその外部媒体の認証データと照合する認証確立ステップを有し、その認証確立ステップにおいて、その外部媒体によるログインが認証されない場合は、ログアウトするステップを有し、それが認証されると外部媒体は読み取った演算装置のユニークである識別番号を管理サーバーへ送信するステップを有し、
【００１０】
管理サーバーは演算装置のユニークである識別番号をデータベースで照合するステップを有し、その演算装置のユニークである識別番号とログイン時の外部媒体認証データが一致し、かつユーザーＩＤが自動ログインを認証しているかを判定するステップを有し、認証されていればログインを許可するステップを有し、認証されていない場合は、管理サーバーはＩＤとパスフレーズの送信をユーザーに要求するステップを有し、それによりユーザーがＩＤとパスフレーズを管理サーバーに送信することで、管理サーバーは予めデータベースに記録されたユーザーＩＤとパスフレーズを送信された認証データと照合する認証確立ステップを有し、認証されない場合はログアウトし、
【００１１】
それが認証されると、読み取られた演算装置のユニークである識別番号と外部媒体の認証データをそのユーザーＩＤと関連づけてデータベースに記録し、それによりそれらが一意に識別される認証確立ステップを有し、
【００１２】
ＷＥＢサーバーのブラウザから送信されたクッキー情報を演算装置のメモリーに保存するステップを有し、起動した演算装置の電源スイッチを押し、電源の切断行為プをきっかけに、上述メモリーに保存されたクッキー情報を管理サーバーへ記録するステップを有した、ブート媒体・管理サーバー連携による自動ログイン認証システムである。
【００１３】
また、第２に上述の外部媒体に動画を視聴及び送信できるプラグインを備え、演算装置に音声デバイス及びその入出力装置を備えた、ブート媒体・管理サーバー連携による自動ログイン認証システムである。
【発明の効果】
【００１４】
本発明のブート媒体連動管理サーバーシステムは、上述の構成により演算装置側にユーザー情報やクッキー情報を記録することなしに、演算装置の識別番号を読み取り、管理サーバー側へそれらを記録することで、ユーザーを識別することができる。
【００１５】
また本発明のブート媒体連動管理サーバーシステムは、上述のように構成されているため、演算装置側のハードディスク等の記録デバイスや記録媒体を使わない環境であっても、外部媒体がその認証データによりログインし、ユーザーが一度ＩＤとパスフレーズを送信し認証されると、ユーザーのＩＤが演算装置の識別番号と外部媒体の認証データと関連付けられて管理サーバーに記録されることで、ログインできる仕組みが確立し、次回からサーバーが演算装置の識別番号と外部媒体の認証データが一致し、かつユーザーＩＤが自動ログインを認証されていればログインでき、その認証確立ステップの仕組みによりユーザー以外からアクセスできないクローズドのページへ自動ログインすることができ、クッキー情報も管理サーバーへ記録されるため、ＷＥＢサーバーにおいてもクッキーを介した自動ログインが可能となる。
【００１６】
またユーザーが演算装置を変更して引き続き、今までと同様に使いたい場合、外部媒体を、変更したい演算装置でブートし、今までと同じユーザーＩＤとパスフレーズを入力することで、以前の演算装置固有の識別番号が、変更された演算装置固有の識別番号で上書きされ、演算装置固有の識別番号が新しいデータに更新される。これにより更新された演算装置で引き続き利用でき、ユーザーはいつでも演算装置を変更できるメリットがあり、この外部媒体を提供する側においては、この上書きによりユーザーＩＤを同時に二つの演算装置で使用させないメリットがある。
【発明を実施するための最良の形態】
【００１７】
以下、図面を参照して本発明の実施の形態について説明する。
図１は、本発明の実施の形態によるブート媒体による自動管理サーバーシステムの概要を示している。
読み出し専用例えばＣＤ−ＲＯＭ等の外部媒体１を演算装置２の外部媒体読み込みデバイス４にセットし、演算装置２を外部媒体１のブートを優先させた設定において起動することで、外部媒体１に組み込まれた通信回線接続機能により、インターフェース８を経て、管理サーバー３へアクセスすることで、外部媒体１は、予め組み込まれた認証データを管理サーバー３へ送信し、それを管理サーバー３が承認することで、管理サーバー３の入力画面へログインすることができる。
【００１８】
外部媒体１はブート時に演算装置２の固有の識別番号を読み取り、管理サーバー３へ送信し、管理サーバー３内のデータベース５を参照し、認証されていない場合は、演算装置画面にＩＤとパスフレーズを要求する入力画面を表示し、ユーザーはここで、演算装置画面に表示された入力画面へ決められたＩＤとパスフレーズをキーボードから入力し、管理サーバー３へ送信することで、管理サーバー３は、そのＩＤとパスフレーズをデータベース５で参照し、承認されると、上述読み取った演算装置２の固有の識別番号と外部媒体１の認証データをユーザーのＩＤと関連付け、管理サーバー３のデータベース５へ書き込み、ログインを承認する。
【００１９】
この構成により、一度ユーザーがユーザー認証を行うことで、次回より演算装置２の電源９をオンするだけで管理サーバー３へアクセスし、認証され自動的にログインできる。それを使って、例えば、ログイントップページに動画を視聴できるホームページをポイントすることで、演算装置２の電源９を付けるだけで、認証されたユーザーのみ許されるそのページへログインし、デバイス１０と外部媒体１に入れられたプラグインにより動画を視聴できることになる。
【００２０】
また演算装置２が管理サーバー３へログインすると、管理サーバー３にユーザーのクッキー情報があれば、その情報をメモリー１１へ保存する、そのメモリー１１のクッキー情報はユーザーがホームページをアクセス時、ＷＥＢサーバーとの間で送受信し、利用される。このメモリー１１に保存されたクッキーの情報は演算装置２の終了時に電源スイッチ９を押すことをきっかけに管理サーバー３のデータベース５へ記録される。
【００２１】
図２は、本発明の実施のユーザーが演算装置２に外部媒体１をセットし、演算装置２をブートさせ、管理サーバー３と外部媒体１による認証確立フロー図である。
上述外部媒体１を演算装置２のその外部媒体１を読み込み可能な、読み込みデバイス４へ予め挿入またはセットしその外部媒体１によるオペレーションシステムにより、演算装置２の起動を行い（ステップ１０１）、外部媒体１のプログラムによりユーザーの演算装置固有の識別番号を読み取り (ステップ１０２)、
【００２２】
その外部媒体１の通信プログラムにより、演算装置２と管理サーバー３がインターネット回線、あるいは通信回線によりつながり、それにより、演算装置２は管理サーバー３にアクセスし（ステップ１０３）、管理サーバー３が外部媒体１の認証データを要求し（ステップ１０４）、その演算装置２の外部媒体１に格納された認証データが管理サーバー３へ送信され（ステップ１０５）、管理サーバー３の認証確立ステップにより、認証されない場合は、ログアウトとなり
【００２３】
認証された場合は、外部媒体が読み取った演算装置２の固有の識別番号を管理サーバーへ送信し(ステップ１０７)、管理サーバー３のデータベースにおいて、その送信された演算装置２の固有の識別番号が演算装置２の固有の識別番号と外部媒体１の認証データが一致し、かつユーザーＩＤが自動ログインを認証しているかを判定し（ステップ１０８）、その条件が合わない場合は、管理サーバー３はユーザーＩＤとパスフレーズをユーザーへ要求し（ステップ１０９）、それによりユーザーがＩＤとパスフレーズ入力し（ステップ１１０）、ＩＤとパスフレーズが一致しなければログアウトし、一致すれば、外部媒体１が読み取った演算装置２固有の識別番号と外部媒体１の認証データをそのユーザーＩＤに関連付けデータベース５に記録し（ステップ１１２）、その記録する時にデータベース５にそのユーザーに関連付けられた演算装置２固有の識別番号があった場合は、新しく読み取った演算装置固有の識別番号で上書きする。
【００２４】
このことはユーザーが今まで使っていた演算装置２を他の演算装置に変更して引き続き使いたい場合、外部媒体１を、その他の演算装置でブートし、ユーザーＩＤとパスフレーズを入力することで、外部媒体１が改めて変更された演算装置の固有の識別番号を読み取り、以前の演算装置固有の識別番号が、変更された演算装置固有の識別番号で上書きされ、演算装置固有の識別番号が新しいデータに更新される。これにより更新された演算装置２で引き続き利用でき、ユーザーはいつでも演算装置２を変更できるメリットがあり、この外部媒体１を提供する側においては、この上書きによりユーザーＩＤを同時に二つの演算装置で使用させないメリットがある。
【００２５】
上述、演算装置オペレーションシステムとは、演算装置システムの各種資源を管理し、アプリケーションがこれを利用できるようにする基本ソフトウェアであり、通信回線接続用のプログラムとは、インターネットと、有線あるいは無線で繋がった演算装置において、そのインターネットと演算装置との接続を自動的に行いインターネット上の管理サーバーへアクセスでき通信ができるプログラムであり、ログイン用認証プログラムとは、管理サーバーと繋がった時に、外部媒体内にある認証データを管理サーバーへ渡すプログラムであり、
【００２６】
読み出し専用の外部媒体とは、ユーザー側で書き込みできない媒体であって、その読み込みは接触あるいは非接触で読み込める、演算装置が読み込むための外部媒体を指し、
【００２７】
通信回線接続用インターフェースとは,演算装置と通信機器のデータ伝送などの情報のやり取りを仲介する装置であり、
【００２８】
外部媒体を読み込むデバイスとは、演算装置に搭載された外部媒体のプログラム及びデータを入力出力装置であり、そのブートを優先に設定された、演算装置端末とは、演算装置の電源を入れた後、その外部媒体が優先され読み込まれ、その外部媒体により起動できることを言い、
【００２９】
その演算装置とは、上述インターフェースや上述外部媒体を読み込むデバイスを備えた演算装置本体とそれに繋がれたディスプレイとキーボードやマウスなどの入力装置及び揮発性メモリーを備えた、上述外部媒体を使用して、最低限インターネットへアクセスし、ユーザーがホームページを視聴できるクライアント用演算装置のことであり、
【００３０】
ネットワークに接続され、外部媒体の認証データとユーザーＩＤとパスフレーズと演算装置のユニークである識別番号とブラウザから送信されたクッキーのデータを記録するデータベースとそれらの認証確立プログラムが格納された管理サーバーとは、上述演算装置がインターネットを通じてアクセスし、認証を管理する管理サーバーであり、データベースを備え、上述外部媒体の認証データとユーザーＩＤとパスフレーズと演算装置のユニークである識別番号と、クッキー情報を格納し、検知し、出力できる管理サーバーであり、
【００３１】
その外部媒体を、演算装置端末にセットし、電源を入れる、あるいはリブートするとは、ユーザーが予め演算装置端末にある、その外部媒体を読み込む装置へ挿入もしくはセットするか、いったん電源を入れ、その外部媒体を読み込む装置へその外部媒体を挿入もしくはセットし、それをリブートすることであり、
【００３２】
その外部媒体のオペレーションシステムにより起動させるステップと、その通信回線接続機能プログラムによりネットワークに接続するステップにより、その外部媒体に設定された管理サーバーへアクセスするとは、その外部媒体のオペレーションシステムによる起動により、引き続き通信回線接続機能プログラムが働き、演算装置へ繋がれた通信回線からインターネットへ自動的につながり、更にそのプロブラムが指定した管理サーバーへアクセスできることであり、
【００３３】
外部媒体に組み込まれた認証データと管理サーバーのデータベースに記録されたその読み出し専用の外部媒体の認証データと照合する認証確立ステップを有し、その認証確立ステップにおいて、その読み出し専用の外部媒体によるログインが認証されない場合は、ログアウトするステップを有し、それが認証されると外部媒体は読み取った演算装置のユニークである識別番号を管理サーバーへ送信するステップを有し、管理サーバーは演算装置のユニークである識別番号をデータベースで照合するステップを有し、その演算装置のユニークである識別番号とログイン時の読み出し専用の外部媒体の認証データが一致し、かつユーザーＩＤが自動ログインを認証しているかを判定するステップを有し、認証されていればログインを許可するステップを有し、認証されていない場合は、管理サーバーはＩＤとパスフレーズの送信をユーザーに要求するステップを有し、それによりユーザーがＩＤとパスフレーズを管理サーバーに送信することで、管理サーバーは予めデータベースに記録されたユーザーＩＤとパスフレーズを送信された認証データと照合する認証確立ステップを有し、それによりユーザーが認証されない場合はログアウトし、ユーザーが認証されると、読み取られた演算装置のユニークである識別番号と外部媒体の認証データをそのユーザーＩＤと関連づけてデータベースに記録し、それによりそれらが一意に識別される認証確立ステップを有し、
【００３４】
上述外部媒体を演算装置のその外部媒体を読み込み可能な、読み取り装置デバイスへ予め挿入またはセットし,その外部媒体によるオペレーションシステムにより,演算装置の起動を行い、ユーザーの演算装置固有の識別番号を読み取るプログラムによりそれを読み取り、その外部媒体の通信プログラムにより、演算装置と管理サーバーがインターネット回線、あるいは通信回線によりつながり、それにより、演算装置は管理サーバーにアクセスし、その演算装置の外部媒体に格納された認証データが管理サーバーへ送信され、管理サーバーの認証確立ステップにより、認証されない場合は、ログアウトとなり
【００３５】
それが認証されると外部媒体が管理サーバーへ送信した、読み取った演算装置のユニークである識別番号と外部媒体の認証データが一致し、ユーザーＩＤが自動ログインを認証されていない場合は、管理サーバーはユーザーＩＤとパスフレーズをユーザーへ要求し、それによりユーザーがＩＤとパスフレーズを入力し、ＩＤとパスフレーズが一致しなければログアウトし、一致すれば、読み取った演算装置固有の識別番号と外部媒体の認証データをユーザーＩＤに関連付けデータベースに記録し、記録する時にデータベースにすでにユーザーＩＤと演算装置固有の識別番号と外部媒体の認証番号データが関連付けられて記録されている場合は、新しいデータで上書きされる。
【００３６】
このことはユーザーが演算装置を変更して引き続き使いたい場合、外部媒体を、変更したい演算装置でブートし、ユーザーＩＤとパスフレーズを入力することで、以前の演算装置固有の識別番号が変更された演算装置固有の識別番号で上書きされ、演算装置固有の識別番号が新しいデータに更新される。これにより更新された演算装置で引き続き利用でき、ユーザーはいつでも演算装置を変更できるメリットがあり、この外部媒体を提供する側においては、この上書きによりユーザーＩＤを同時に二つの演算装置で使用させないメリットがある。
【００３７】
また起動した演算装置の電源スイッチを押し、電源の切断行為を行うことで、外部媒体のブラウザから送信されたクッキー情報を管理サーバーへ送信するプログラムとは、本来ホームページの提供者が、ホームページのブラウザを通じてアクセス者の演算装置に一時的にデータをハードディスクに書き込んで記録させる仕組みがクッキーであるが、本発明ではその記録先を一旦演算装置側のメモリーに保存し、電源の切断行為をきっかけとして、外部媒体のプログラムにより、そのメモリーのクッキー情報を管理サーバーへ記録するプログラムであり、管理サーバーへログイン時にクッキー情報が管理サーバーにあれば、それを演算装置のメモリーへ保存する。
【００３８】
上述演算装置の揮発性メインメモリーとは、データを保存することができ、電源が切れると保存されたデータが消滅するメモリーのことである。
【００３９】
例えば、災害時において、個人情報を関係者のみ閲覧できる非公開のホームページを共有したい場合、本発明により、予めその非公開ログインページをログインページとして設定したＣＤ等の外部媒体と管理サーバーにより、ユーザー側がＣＤ等の外部媒体により事前に一度ログインすることより、災害時においては、ＣＤ等の外部媒体によるブートのみで自動ログインでき、通常使用の演算装置を災害時用演算装置として敏速に活用できる。そのログインしたＣＤ等の外部媒体はセキュリティで守られた場所に保管し、災害時のみそのブートで使用することで、管理でき、通常使用の演算装置も本来使用しているハードディスクに影響を与えないで利用できる。
これにより災害時、特に公民館・学校などの公共の施設にある演算装置を有効に使うことが可能になる。
【００４０】
また農業団体の組合などが生産者に対して、インターネットから農薬や害虫などの最新情報や卸価などの会員のみ提供したい場合、キーボードに不慣れな高齢の生産者であっても、演算装置の電源を入れるだけで、会員のみ閲覧できるクローズドのページへ入れることができるため、そのログインページを動画で配信すれば、生産者は毎日演算装置の電源スイッチを付けるだけで、視聴でき、終了したい場合はハードディスクを使わないため、その終了手続きは演算装置の電源スイッチをきるだけとなり、生産者は演算装置操作もシンプルに行え、インターネットを通じて簡単に情報を得ることができる。
またユーザーが自動ログインすることだけで、ユーザーを特定することができるため、例えば、ログインページにおいて、設問が用意されていて、それを数字だけで選択させ、ユーザーはキーボードの数字キーを使用し入力し、その入力データを管理者が設定したメールアドレスへ送信させることで、アンケートや出荷数量などを、ユーザーがユーザー自身の情報を入力することなく、数字キーのみで容易に決められたメール先へユーザーの報告ができる。
【００４１】
また管理サーバーにおいて、親がインターネットを通じて、携帯や演算装置から認証を経てログインできる管理画面をおき、そこで子どもに見せたいホームページのリンクページを作成し、それが上述自動ログインのトップ画面で反映されるよう設定を行うことで、例えば子どもが上述のようにブートするだけでそのリンクページを表示し、外部媒体に入れるブラウザをＵＲＬのアドレスバーを無くし、直接ＵＲＬが入力できないようにすることで、親が選んだページのみ閲覧固定することができる、そのクローズドの環境で親子双方がコメントや画像・動画を入力し共有することなどができる。
また子ども達がそのホームページを利用する場合においても、クッキー情報も利用できるため、それを生かしたＷＥＢサーバーの利便性も損なわず、ホームページを閲覧できる。上述の構成により認証情報やクッキー情報を管理サーバー側へ記録することで、演算装置側にその情報を記録するデバイスや媒体を持たないで、ユーザーを識別することができることを特徴とするブート媒体・管理サーバー連携による自動ログイン認証システムを提供するものである。
【００４２】
図３は、本発明の実施のクッキー情報が管理サーバーへ記録される手順フロー図である。
ログイン後に、外部媒体のプログラムにより、管理サーバーへ保存されているクッキー情報があるか判断し（ステップ２０１）、保存されていれば、管理サーバーのクッキー情報をコンピューターのメモリーに記録し(ステップ２０２)、入ってなければ、管理サーバーからクッキー情報を送信したかどうか判断し（ステップ２０３）、送信されていれば管理サーバーから送信されたクッキー情報をコンピューターのメモリーに記録し（ステップ２０４）、次にコンピューターの電源終了ボタンが押されたかどうか判断し（ステップ２０５）、終了ボタンが押された場合は、コンピューターのメモリーのクッキー情報を管理サーバーに記録する（ステップ２０６）。
【００４３】
上述の構成により、ユーザーのログインにより、管理サーバーのクッキー情報があればそれを演算装置のメモリーに保存し、そのメモリーのクッキー情報はユーザーがホームページをアクセス時、ＷＥＢサーバーとの間で送受信し、利用され、演算装置の終了電源ボタンを押すことをきっかけに、メモリーに入っていたクッキー情報を管理サーバーへ送信し、それを受け取った管理サーバーが、記録するフローである。
ＷＥＢサーバーとはインターネット上のホームページ提供者の使用するサーバーのことで、本来クッキーとはそのホームページの提供者が、ホームページのブラウザを通じてアクセス者の演算装置に一時的にデータをハードディスクに書き込んで記録させるしくみであるが、その記録先を演算装置側のハードディスクではなく、一旦演算装置のメモリーに記録し、その記録を演算装置の終了電源ボタンを押すタイミングをきっかけに外部媒体のプログラムにより、演算装置側のメモリーにあったクッキー情報を管理サーバー側へ送信しそのデータを管理サーバーが記録することであり、ログイン時には管理サーバー側のクッキー情報を演算装置側のメモリーへ記録することである。
【００４４】
本発明により、インターネット用として、ハードディスク或いはそれに順ずる記録デバイス不要の演算装置が利用でき、それにより、小型・軽量な演算装置をメーカーはユーザーに対し提供できる。
またＣＤ等の外部媒体の認証データやユーザーのログインＩＤをユニークにすることで、１台の演算装置を、別々のユーザーがＣＤ等の外部媒体を変更しながら別々の用途に使い分けることができる。
【００４５】
また通常のハードディスクにオペレーションシステムがある演算装置では、上述ＣＤ等の外部媒体をセットし、起動することでハードディスクを使わない環境でインターネットを利用できるため、ハードディスク側のオペレーションシステムにおいて管理者以外にログインさせない設定を行うことで、第三者に演算装置を使わせたい場合でも、安心して利用させることができる。
またハードディスクを使わないため、ハードディスクが壊れて使えない演算装置や個人情報を抹消するためハードディスクを抜いた廃棄用・中古演算装置の有効利用も可能である。
【図面の簡単な説明】
【００４６】
【図１】本発明の１実施例の形態を示す略図である。
【図２】本発明の１実施例のユーザーが演算装置に外部媒体にセットし、演算装置をブートさせ、管理サーバーと外部媒体による認証確立フロー図である。
【図３】本発明の１実施例のクッキーが管理サーバーへ記録される手順フロー図である。
【符号の説明】
【００４７】
１  読み出し専用の外部媒体
２  演算装置
３  管理サーバー
４  外部媒体読み込みデバイス
５  管理サーバーのデータベース
６  インターネット等の通信回線ユーザーの演算装置からの信号の流れ
７  インターネット等の通信回線管理サーバーからの信号の流れ
８  通信用インターフェース
９  演算装置の電源スイッチ
１０  音声・映像デバイス及びその入出力装置
１１  揮発性メインメモリー
１０１  外部媒体を演算装置の読み取り装置へセットし、演算装置の電源をつけブートするステップ
１０２  外部媒体のプログラムによりユーザーの演算装置固有の識別番号を読み取るステップ
１０３  外部媒体の通信接続機能により、上述管理サーバーへアクセスするステップ
１０４  管理サーバーが外部媒体の認証データを要求するステップ
１０５  外部媒体が認証データを送信するステップ
１０６  認証データが一致したかどうか判断するステップ
１０７  外部媒体が読み取ったユーザーの演算装置固有の識別番号を管理サーバーへ送信するステップ
１０８  演算装置固有の識別番号と外部媒体認証データが一致しユーザーＩＤが自動ログインを認証しているかどうか判断するステップ
１０９  管理サーバーがユーザーＩＤとパスフレーズ要求するステップ
１１０  ユーザーがＩＤとパスフレーズ入力ステップ
１１１  ＩＤとパスフレーズが一致したか判断するステップ
１１２  読み取った演算装置固有の識別番号と外部媒体の認証データをユーザーＩＤに関連付けデータベースに記録ステップ
２０１  管理サーバーへ保存されているクッキー情報があるか判断するステップ
２０２  管理サーバーのクッキー情報をコンピューターのメモリーに記録するステップ
２０３  管理サーバーからクッキー情報を送信したか判断するステップ
２０４  管理サーバーから送信されたクッキー情報をコンピューターのメモリーに記録するステップ
２０５  コンピューターの電源終了ボタンが押されたか判断するステップ
２０６  コンピューターのメモリーのクッキー情報を管理サーバーに記録ステップ
【図１】
2009139976.tif 000003
【図２】
2009139976.tif 000004
【図３】
2009139976.tif 000005